(57)【要約】【課題】載置用トレイが装置本体内に収納されている際には載置用トレイのための開口部が蓋体によって確実に閉塞される再生装置を提供する。【解決手段】情報を記録再生できる円盤状記録担体の載置用トレイと、円盤状記録担体を保持し情報の記録再生を行うための記録再生手段と、トレイが挿通する装置本体の開口部近傍で開口部と略平行な方向にスライド移動自在に案内されて開口部を閉塞し得る蓋手段を有し、蓋手段は、開口部と略平行な方向の寸法が開口部より大きく形成された蓋体と、蓋体の両側面で装置本体に保持され蓋体を開口部と略平行な方向に案内して蓋体の移動経路を定める案内部材と、蓋体より記録再生手段寄りの位置にあって、一端部を回動自在に且つ他端部を蓋体の裏面の切換案内部に係合する係合ピンを有する回動部材と、開口部を閉塞する方向に蓋体を付勢する付勢手段とを備える。【選択図】図２
2007042160.tif 000002
【特許請求の範囲】
【請求項１】
開口部を介して、情報を再生できる担体の載置及び収納するために移動するトレイと、情報を再生する再生手段と、前記開口部を閉塞し得る蓋手段を有し、
前記蓋手段は、前記開口部に形成された蓋体と、前記蓋体の両側面で装置本体に保持され、前記蓋体を前記開口部の上下方向に移動自在に案内する案内部材と、前記蓋体より前記再生手段寄りの位置にあって、一端部を回動自在に且つ他端部を前記蓋体の裏面に設けられた切換案内部に係合する係合ピンを有する回動部材と、前記開口部を閉塞する方向に前記蓋体を付勢する付勢手段とを有することを特徴とする再生装置。
【請求項２】
前記蓋体もしくは前記開口部の少なくとも一方の左右及び上面側面部にかけて前記蓋体の外周に係合凹部が形成され、前記蓋体もしくは前記開口部に、前記係合凹部に係合する係合凸部が形成されていることを特徴とする、請求項１に記載の再生装置。
【請求項３】
前記蓋体の下端部に前記蓋体の表面側に突出した当接部を形成し、前記当接部と正対する装置本体内面に当接面を形成し、前記当接部または前記当接面に弾性部材が設けられたことを特徴とする、請求項１もしくは請求項２に記載の再生装置。
【請求項４】
前記付勢手段は、前記回動部材に回転力と回動支軸と平行方向の側圧を与えるよう形成したことを特徴とする、請求項１もしくは請求項２に記載の再生装置。
【請求項５】
前記案内部材に、前記回動部材を回動自在に支持する支持部を形成したことを特徴とする、請求項1から請求項４のいずれかの請求項に記載の再生装置。
【請求項６】
前記蓋体は前記開口部より大きく形成されていることを特徴とする、請求項１に記載の再生装置。
【発明の詳細な説明】
【技術分野】
【０００１】
本発明は、装置本体に形成された開口部を介して装置外部に突出する位置と装置本体内で記録再生できる位置の間をスライド移動する円盤状記録担体の載置用トレイが、記録再生する位置に移動したときに、前記開口部を閉塞する蓋体が備えられてなる光ディスク等の再生装置に関し、特に蓋体の閉塞作用の改良に関するものである。
【背景技術】
【０００２】
装置本体に形成された開口部を介して装置外部に突出する位置と装置本体内で記録再生できる位置の間をスライド移動する円盤状記録担体の載置用トレイと、前記開口部を閉塞するための蓋体が備えられた円盤状記録担体の記録再生装置として、図４に示すごとく、蓋体２７がターンテーブルおよびピックアップを含む再生手段を設けた装置本体２１に形成された開口部２２ａの近傍で回動自在に保持された装置が知られている（例えば、特許文献１参照。）。かかる記録担体の再生装置では、蓋体２７はバネ等の付勢力によって開口部２２ａの閉塞状態を得るように構成されていて、記録担体の載置部２４が装置本体の再生位置２４ａから突出する位置２４ｂに移動する際に載置部の突出による押圧力で前記バネ等の付勢力に抗して蓋体２７が開口部２２ａの閉塞状態を解除していた。
【０００３】
かかる構成の光ディスク等の円盤状記録担体（以下、光ディスクと総称する）の再生装置においては、再生を行う際に再生手段を内蔵したその空間は塵埃等からの影響を受けないように、装置本体の内部と外部は遮断されていることが望ましい。また、ディスク演奏中におけるディスクの高速回転に伴う風切り音が上記の開口部を経て外部に漏洩することを防止するために、開口部は蓋体によって確実に閉塞され得ることが必要となる。
【特許文献１】実開昭６１−１３６３６４号公報
【発明の開示】
【発明が解決しようとする課題】
【０００４】
しかしながら、前記回動して閉塞する従来の蓋体の構成では、蓋体の回動軸部近傍で開口部が閉塞しきれずに若干の隙間が発生することと、開口部の近傍に塵埃が付着すると蓋体が開口部を確実に閉塞せず、塵埃等が内部に侵入する、あるいは風切音が外部に漏洩するという問題が生じる。
【０００５】
本発明は、上記の事情に鑑みてなされたものであり、載置用トレイが装置本体内に収納されている際には載置用トレイのための開口部が蓋体によって確実に閉塞される再生装置を提供することを目的とする。
【課題を解決するための手段】
【０００６】
前記従来の課題を解決するために、本発明の円盤状記録担体の記録再生装置は、載置用トレイが挿通する装置本体の開口部近傍で開口部と略平行な方向にスライド移動自在に案内されて前記開口部を閉塞し得る蓋手段を有し、
前記蓋手段は、前記開口部と略平行な方向の寸法が前記開口部より大きく形成された蓋体と、前記蓋体の両側面で装置本体に保持され前記蓋体を前記開口部と略平行な方向に案内して蓋体の移動経路を定める案内部材と、前記蓋体より記録再生手段寄りの位置にあって、一端部を回動自在に且つ他端部を前記蓋体の裏面の切換案内部に係合する係合ピンを有する回動部材と、前記開口部を閉塞する方向に前記蓋体を付勢する付勢手段とを備える構成を有している。この構成によって、蓋体が案内部材に係合して開口部と略平行にスライド移動して開口部を閉塞することができるので、開口部の近傍に塵埃が付着してもこれを押し出しながら開口部を確実に閉塞できる再生装置を提供するものである。
【発明の効果】
【０００７】
本発明の請求項１に記載の再生装置は、蓋体が平行案内部材に係合して開口部と略平行にスライド移動して開口部を閉塞することができるので、精度良くスライド動作なされる。このため開口部の近傍に塵埃が付着してもこれを押し出しながら開口部を確実に閉塞できるという利点がある。
【０００８】
また、本発明の請求項２に記載の再生装置は、蓋体もしくは開口部のいずれかの少なくとも左右および上面側面部に、蓋体の移動方向と平行方向に凹状部が形成され、これと正対する開口部もしくは蓋体に、前記凹状部に係合する凸状部が形成されてあり、開口部と蓋体とが凹状部と凸状部で係合するという特徴を有する蓋手段を備えた再生装置に関するものであり、開口部をより確実に閉塞するという作用を有する。
【０００９】
また、本発明の請求項３に記載の再生装置は、蓋体の下端部に表面側に突出した当接部を形成し、前記当接部と正対する装置本体内面に当接面を形成し、前記当接部または前記当接面のいずれかに設けられた弾性部材を介して前記当接部と当接面が当接するという特徴を有する蓋手段を備えた再生装置に関するものであり、蓋体が閉塞する時の当接音を緩和するという作用と、開口部をより確実に閉塞するという作用を有する。
【００１０】
また、本発明の請求項４に記載の再生装置は、付勢手段は、回動部材に回転力と回動支軸と平行方向の側圧を与えるよう形成され、前記回動部材を案内部材に押し当てるという特徴を有するものであり、回動部材は一方に押圧されて左右方向の位置決めが精度良くなされるので、前記回動部材と係合する蓋体を左右方向に精度良く位置決めしつつスライド移動させて開口部を閉塞するという作用を有する。
【００１１】
また、本発明の請求項５に記載の再生装置は、案内部材に、回動部材を回動自在に支持する支持部を形成して構成したことを特徴とするものであり、蓋手段を一体的に扱えるため装置本体への組込作業が容易にできるという作用を有する。
【００１２】
また、本発明の請求項６に記載の再生装置は、開口部より大きく形成された蓋体を備えたことを特徴とするものであり、開口部を確実に閉塞するという作用を有する。
【発明を実施するための最良の形態】
【００１３】
以下に、本発明の実施の形態について、図面を参照しながら説明する。
【００１４】
（実施の形態１）
図１は本発明の記録再生装置の概略構成斜視図であり、図２は蓋手段の構成斜視図、図３（ａ）、同（ｂ）は蓋手段の動作を説明する断面図である。図において、１は内部に記録再生手段３が備えられている装置本体で、記録再生手段２は光ディスク（図示省略）を回転するターンテーブル（図示省略）、ターンテーブルを回転するスピンドルモータ（図省略）、光ディスクに光ビームを照射するピックアップ（図示省略）等が備えられ、記録媒体から信号を読取って再生する再生機能に加えて、外部からの入力信号を受けて記録媒体に記録の書込みを行う記録機能が備えられている。また、装置本体１の内部には光ディスクを載置してスライドするトレイ４の移動を案内するトレイ案内部（図示省略）が設けられていて、このトレイ案内部によって案内されてトレイ４はその長手方向にスライド移動ができる。
【００１５】
２は装置本体１の前面部であるフロントパネルで、トレイ４が装置本体１に対して突出及び収納し得るように左右方向に伸長する長方形の開口部２ａが設けられている。また、当該装置の操作をなすための操作ボタン群５及び表示パネル６が前部に設けられている。
【００１６】
７は開口部２ａを閉塞する矩形板状の蓋体で、左右側面部には蓋体の移動方向と略平行な方向に左右それぞれ２つの突出する係合ピン７ａ、７ｂが設けられてあり、裏面には前後方向の長溝状の切換案内溝７ｃが左右一対で内向きに設けられている。また左右及び上側端部にかけて連続する蓋体の移動方向と略平行な方向に突出する係合凸部７ｄが設けられている。この係合凸部７ｄはフロントパネル２の開口部に設けられた係合凹部２ｂに係合可能であり、開口部２ａより大きく形成されている。
７ｅは蓋体７の下部で開口部２ａより左右方向に長く手前に突出して形成された当接部で、左右方向に伸長するゴムなどの弾性部材８が設けられており、蓋体に設けられた当接部に略平行に形成されたフロントパネルの当接面２ｃがこの弾性部材８に当接可能となっている。
【００１７】
９、１０はフロントパネルの開口部２ａの左右両端面部に設けられた一対の案内部材で、開口部の内側で蓋体７の移動方向に伸長して形成され、蓋体７の係合ピン６ａ、６ｂが挿入される案内溝９ａ、１０ａ及び回動部材１１の軸部１１ａ、１１ｂが挿入されて回転可能に保持する軸受け部９ｂ，１０ｂが設けられている。
回動部材１１の軸部１１ａ、１１ｂはトレイ４の下面より下方に配置されており、この軸部近傍から上方に伸長してトレイ４の当接面１１ｅが設けられている。また側面他端部には軸部１１ａ及び１１ｂと同様に左右の側面に突出した切換案内ピン１１ｃと１１ｄが設けられており、蓋体の切換案内溝７ｃに係合するよう構成されている。切換毛案内ピン１１ｃと１１ｄの先端と蓋体７の内面とは若干の隙間を設けられて組み合わされるよう形成されているので、蓋体７は回動部材１１に対して左右方向に精度良く位置決めがなされている。また、軸部１１ａは巻きバネ（後述）が挿入される長さが設けられてあり、軸部１１ｂの内側にはバネの付勢力により案内部材１０に当接する当接凸部が形成されている。１２は両端が接線方向に突出した係止部を有し軸方向に圧縮可能形成されている付勢手段である巻きバネ１２で、回動部材１１の軸部１１ａと案内部材９との間に軸方向に圧縮挿入され、巻き上げられた状態で一端が案内部材１０に、他端が回動部材１１に係止されている。巻きバネ１２は圧縮された状態で回動部材１１と案内部材９の間に挿入されるので回動部材１１は軸１１ｂ方向に付勢され、当接凸部１１ｆが案内部材１０に当接され、左右方向の位置が精度よく決められている。また、このバネ１２により、回動部材１１は軸部を支点として先端が下から上に向かう方向に回転するように付勢されるよう構成されており、このバネの付勢力によって蓋体７が開口部２ａを閉塞する方向にスライドすることができる。
【００１８】
このように構成された本実施の形態の記録再生装置の動作について図３を用いて説明する。図３（ａ）、（ｂ）において、記録再生状態（たとえ、ディスクが載置されていなくとも）、すなわちトレイ４が装置本体内部に収納された状態において、使用者が操作手段（図示省略）によりトレイの搬出を指令すると、トレイの駆動手段（図示省略）が起動してトレイ４の排出動作が開始され、トレイ４の先端が回動部材１１の当接面１１ｅに当接するとトレイの駆動手段の駆動力が巻きバネ１２の付勢力に抗して引き続き当接面１１ｅが押され、回動部材１１が軸部１１ａ及び１１ｂを支点にして前方下方向に回転され、先端部に設けられた切換案内ピン１１ｃ及び１１ｄも同様に前方下方向に回転される。この回転によって切換案内ピンに係合する蓋体７が案内部材９及び１０の案内溝に沿って閉塞位置から下方に移動される。引き続きトレイ４が搬出され、記録担体が取り出しできるようになる。
【００１９】
以上のようにトレイ４が全開し排出状態になると、使用者は光ディスクをトレイ４に載置し、操作手段によってトレイ４の閉塞を指令すると、トレイ駆動手段は先ほどと逆に動作し、先ほどの説明と全く逆の経過により図３（ｂ）〜図３（ａ）の動作を行う。これにより、図３（ａ）に示すような光ディスク１００がトレイ４に載置された状態から、ターンテーブル３ａを含む記録再生手段に係止されて情報を記録再生することができる。このように、本実施の形態によると、開口部と略平行な方向に移動自在に案内する案内部材と、左右及び上側端部にかけて連続する蓋体の移動方向と略平行な方向に突出する係合凸部７ｄが蓋体に設けられて、この係合凸部７ｄがフロントパネル２の開口部に設けられた係合凹部２ｂにスライド移動して係合しているので、開口部をより確実に閉塞することができる、防塵及び防音効果に優れた記録再生装置を提案できる。
【産業上の利用可能性】
【００２０】
本発明にかかる再生装置は、蓋体が平行案内部材に係合して開口部と略平行にスライド移動して開口部を閉塞することで、開口部の近傍に塵埃が付着してもこれを押し出しながら開口部を確実に閉塞できるので、装置内部に高精度な記録再生手段を内蔵したＤＶＤレコーダーなどの高密度な光ディスクの再生装置や記録再生装置などの用途に有用である。
【図面の簡単な説明】
【００２１】
【図１】本発明の実施の形態１に於ける記録再生装置の概略構成斜視図
【図２】本発明の実施の形態１に於ける蓋手段の構成斜視図
【図３】（ａ）本発明の実施の形態１に於ける蓋手段の動作（トレイ収納）説明図（ｂ）本発明の実施の形態１に於ける蓋手段の動作（トレイ排出）説明図
【図４】従来の記録再生装置の実施方法を示した説明図
【符号の説明】
【００２２】
１    装置本体
２    フロントパネル
２ａ    開口部
２ｂ    係合凹部
２ｃ    当接面
３    記録再生手段
３ａ    ターンテーブル
４    トレイ
７    蓋体
７ａ、７ｂ    係合ピン
７ｃ    切換案内溝
７ｄ    係合凹部
７ｅ    当接部
８    弾性部材
９、１０    案内部材
９ａ、１０ａ    案内溝
９ｂ、１０ｂ    軸受部
１１    回動部材
１１ａ、１１ｂ    軸部
１１ｃ、１１ｄ    切換案内ピン
１１ｅ    トレイ当接面
１１ｆ    当接凸部
１２    巻きバネ
【図１】
2007042160.tif 000003
【図２】
2007042160.tif 000004
【図３】
2007042160.tif 000005
【図４】
2007042160.tif 000006